(57)【特許請求の範囲】
【請求項１】
プラスチック材料製のクリップ留め式蓋（Ｄ）と、上方外方に向けてテーパーの付いた円錐形の容器壁（７）で画成された容器（Ｃ）の開口部（９）と、及び外に向けて突き出た縁部（１０）とを備えたカップ状容器であって、蓋（Ｄ）には上壁（１２）を有しかつ蓋の下面で開口して縁部（１０）を受容する周囲固定溝（１）が形成され、この固定溝（１）には外側下端部に弾性的に拡張可能な狭窄部が、また内側にＵ字形状断面の円周方向に延びる蓋凹部（Ｖ）の外側脚壁（４）の円筒又は円錐外面（６）があり、この蓋凹部（Ｖ）のＵ字形状底部ウェブ（２２）は狭窄部（１４）の高さ位置の下に位置し、蓋凹部（Ｖ）の内側脚壁（２３）は狭窄部（１４）と固定溝（１）の高さ位置の上方に位置するドーム頂壁（５）の有るドーム（２）のドーム壁の一部である紙又はボール紙製カップ状容器において、
蓋凹部（Ｖ）は固定溝（１）の高さ（Ｌ）の２．５倍以上の長さ（Ｌ１）でもって狭窄部（１４）の高さ位置より明確に下方に向かって延びる深さを有していること、及び、蓋凹部（Ｖ）は、狭窄部（１４）の高さにおける外面（６）の径（Ｄ１）が容器壁（７）の内径（Ｄ７）と対応していること、並びに、固定溝（１）内において、上壁（１２）から外面（６）へと移った部分での外径（Ｄ２）は開口部（９）内での容器壁（７）の内径（Ｄ７）より大きく、それによって蓋（Ｄ）のクリップ留めの際、下方に向けたクリップ留め圧力（Ｒ）が主としてドーム（２）に加えられ縁部（１０）が狭窄部（１４）に着いた時、蓋凹部（Ｖ）は外面（６）に容器壁（７）と滑り接触することにより蓋心合わせ及びガイド突起部（Ｋ）として作用することを特徴とするカップ状容器。
【請求項２】
縁部（１０）が下側から狭窄部（１０）に達する前に、心合せ・ガイド突起部（Ｋ）が滑り接触して容器壁（７）と協働するように形成されて成ることを特徴とする請求項１に記載の容器。
【請求項３】
容器壁（７）及び円錐外面（６）の錐角（α／２）は、少なくとも近似的に等しいことを特徴とする請求項１に記載の容器。
【請求項４】
容器壁（７）及び円錐外面（６）の錐角（α／２）は、６〜１２度であることを特徴とする請求項１に記載の容器。
【請求項５】
ドーム（２）は、ドーム頂壁（５）と、上方に延びる内側脚壁（２３）との移行部において、円周方向に規則的に分布された同一寸法及び同一深さのくぼみ（３）を有していること、各くぼみ（３）は、内側脚壁（２３）内に下に入り込んだ指でつかむための凹みを画成していること、及び、各くぼみ（３）は、蓋の積み重ね部を画成する下方肩部（３ａ）が形成されていること、を特徴とする請求項１に記載の容器。
【請求項６】
縁部（１０）の半径方向厚み（Ｙ）が固定溝（１）の半径方向内幅（Ｙ１）を上回るようにして成ることを特徴とする請求項１に記載の容器。
【請求項７】
開口部（９）に外縁部（１０）のある円錐状の紙又はボール紙製容器（Ｃ）のためのプラスチック材料製の蓋（Ｄ）であって、蓋（Ｄ）は、上壁（１２）を有しかつ蓋の下面で開口して縁部（１０）を受容する固定溝（１）が設けられ、この固定溝（１）はその外側下端で弾性拡張可能な狭窄部（１４）によって継続され、またその内側下端で、狭窄部（１４）の高さ位置の下に位置するＵ字形状底部ウェブ（２２）をもつ、断面が実質的にＵ字形状である、円周方向に延びる蓋凹部（Ｖ）の外側脚壁（４）の円筒状又は円錐状外面（６）によって継続され、蓋凹部（Ｖ）の内側脚壁（２３）は狭窄部（１４）の高さ位置と固定溝（１）の高さ位置の上に位置するドーム頭部面（５）の有るドーム（２）のドーム壁の一部であるプラスチック材の蓋（Ｄ）において、
蓋凹部（Ｖ）は固定溝（１）の高さ（Ｌ）の２．５倍以上の長さ（Ｌ１）でもって狭窄部（１４）の高さ位置より明確に下方に向かって延びる深さを有していること、及び、蓋凹部（Ｖ）は、狭窄部（１４）の高さにおける外面（６）の径（Ｄ１）が容器壁（７）の内径（Ｄ７）と対応していること、並びに、固定溝（１）内において、上壁（１２）から外面（６）へと移った部分での外径（Ｄ２）は開口部（９）内での容器壁（７）の内径（Ｄ７）より大きく、それによって蓋凹部（Ｖ）は、蓋（Ｄ）の容器（Ｃ）の縁（１０）への容易なクリップ留めのための心合わせ及びガイド突起部（Ｋ）を画成していることを特徴とするプラスチック材料製の蓋。
【請求項８】
狭窄部（１４）が外側から形成された、深いものと浅いものとが円周方向に交互して連なるくぼみから成り、ここでこれ等のくぼみは深いものの方が浅いものより円周方向に長く形成されて成ることを特徴とする請求項７に記載の蓋。
【請求項９】
ドーム頂壁（５）に規則的に分布し、上方に突出する飲料識別突起部（５ａ）複数が設けられて成ることを特徴とする請求項７に記載の蓋。
【請求項１０】
開口部（９）に外縁部（１０）のある円錐状の紙又はボール紙製容器（Ｃ）のためのプラスチック材料製蓋（Ｄ）であって、蓋（Ｄ）の周辺には、蓋の下面で開口して縁部（１０）を受容する固定溝（１）が設けられ、この固定溝（１）はその外側下端で弾性拡張可能な狭窄部（１４）によって継続され、またその内側下端で、狭窄部（１４）の高さ位置の下に位置するＵ字形状底部ウェブ（２２）をもつ、断面が実質的にＵ字形状である、円周方向に延びる蓋凹部（Ｖ）の外側脚壁（４）の円筒状又は円錐状外面（６）によって継続され、蓋凹部（Ｖ）の内側脚壁（２３）は狭窄部（１４）の高さ位置と固定溝（１）の高さ位置の上に位置するドーム頭部面（５）の有るドーム（２）のドーム壁の一部であるプラスチック材料製の蓋（Ｄ）において、
ドーム頂壁（５）には所定の大きさの陥入部（２５）が形成され、この陥入部（２５）は壁厚（ｘ１）がドーム頭部の壁厚（ｘ）より薄く形成され、陥入部（２５）にはストロー導入のための交差する刻み目（２６）が形成されて成ることを特徴とする蓋。
【請求項１１】
陥入部（２５）が、ドーム頂壁（５）に形成された凹部（２４）の薄壁底部に設けられ、この底部はドーム頂壁に下に位置し、底部薄壁厚（ｘ１）が材料を局部的に圧縮して付与されるようにして成ることを特徴とする請求項１０に記載の蓋。
【請求項１２】
陥入部（２５）がドーム内部方向に湾曲されて成ることを特徴とする請求項１０に記載の蓋。
【請求項１３】
凹部（２４）が概ねドーム頂壁（５）の中央に位置すること、凹部（２）は、主軸が互いに９０°オフセットして位置付けられた、大きさの等しい楕円二つが重なった壁輪郭を有すること、前記刻み目（２６）がこれ等の楕円の交差する主軸に沿って延びるようにして成ることを特徴とする請求項１１に記載の蓋。
【請求項１４】
円錐形状の段付き開口部（９ａ）に外縁部（１０）のある円錐状の紙又はボール紙製二重壁容器（ＣＤ）のためのプラスチック材料製蓋（Ｄ）であって、蓋（Ｄ）の周辺には、上壁（１２）を有しかつ蓋の下面で開口して縁部（１０）を受容する固定溝（１）が設けられ、この固定溝（１）はその外側下端で弾性拡張可能な狭窄部（１４）によって継続され、またその内側下端で、狭窄部（１４）の高さ位置の下に位置するＵ字形状底部ウェブ（２２）をもつ、断面が実質的にＵ字形状である、円周方向に延びる蓋凹部（Ｖ）の外側脚壁（４）の円筒状又は円錐状外面（６）によって継続され、蓋凹部（Ｖ）の内側脚壁（２３）は狭窄部（１４）の高さ位置と固定溝（１）の高さ位置より上に位置するドーム頭部面（５）の有るドーム（２）のドーム壁の一部であるプラスチック材の蓋（Ｄ）において、
蓋凹部（Ｖ）は固定溝（１）の高さ（Ｌ）の２．５倍以上の長さ（Ｌ１）でもって狭窄部（１４）の高さ位置より明確に下方に向かって延びる深さを有していること、及び、蓋凹部（Ｖ）は、狭窄部（１４）の高さにおける外面（６）の径（Ｄ１）が容器壁（７）の内径（Ｄ７）と対応していること、並びに、固定溝（１）内において、上壁（１２）から外面（６）へと移った部分での外径（Ｄ２）は開口部（９）内での容器壁（７）の内径（Ｄ７）より大きく、それによって蓋凹部（Ｖ）は、二重壁容器（ＣＤ）の円錐形状の段付き開口部（９ａ）と協働する心合わせ及びガイド突起部（Ｋ）を画成し、縁部（１０）への蓋（Ｄ）の容易なクリップ留めを許容していることを特徴とするプラスチック材料製の蓋。
【請求項１５】
外側脚壁（４）の外面（６）が、０°と段付き容器開口部（９ａ）の錐角値より小さい値の間にある錐角で形成されて成ることを特徴とする請求項１４に記載の蓋。
【請求項１６】
心合わせ・ガイド突起部（Ｋ）が下方に続いていて、円錐形状段付き開口部（９ａ）の下に位置する容器壁（７）の部分と協働してプレス嵌めするように寸法付けられた内側段付き部に継続されて成ることを特徴とする請求項１４に記載の蓋。
【請求項１７】
プラスチック材料製のクリップ留め式蓋（Ｄ）と、上方外方に向けてテーパーの付いた円錐形の容器壁（７）で画成された容器（Ｃ）の開口部（９）と、外に向けてカールした縁部（１０）とが設けられ、蓋（Ｄ）には上壁（１２）を有しかつ蓋の下面で開口して縁部（１０）を受容する周囲固定溝（１）が形成され、この固定溝（１）には外側下端部に弾性的に拡張可能な狭窄部が、また内側にＵ字形状断面の円周方向に延びる蓋凹部（Ｖ）の外側脚壁（４）の円筒又は円錐面（６）があり、この蓋凹部（Ｖ）のＵ字形状ウェブ（２２）は狭窄部（１４）の高さ位置の下に位置し、蓋凹部（Ｖ）の内側脚壁（２３）は狭窄部（１４）と固定溝（１）の各上方に位置するドーム頂壁（５）の有るドーム（２）のドーム壁の一部である紙又はボール紙製カップ状容器（Ｃ、ＣＤ）において、
蓋凹部（Ｖ）は固定溝（１）の高さ（Ｌ）の２．５倍以上の長さ（Ｌ１）でもって狭窄部（１４）の高さ位置より明確に下方に向かって延びる深さを有していること、及び、蓋凹部（Ｖ）は、狭窄部（１４）の高さにおける外面（６）の径（Ｄ１）が容器壁（７）の内径（Ｄ７）と対応していること、並びに、固定溝（１）内において、上壁（１２）から外面（６）へと移った部分での外径（Ｄ２）は開口部（９）内での容器壁（７）の内径（Ｄ７）より大きく、それによって蓋（Ｄ）のクリップ留めの際、下方に向けたクリップ留め圧力（Ｒ）が主としてドーム（２）に加えられ縁部（１０）が狭窄部（１４）に着いた時、蓋凹部（Ｖ）は外面（６）に容器壁（７）と滑り接触することにより蓋心合わせ及びガイド突起部（Ｋ）として作用すること、並びに、蓋を心合わせ及びガイドする突起部（Ｋ）と、縁部（１０）を受け入れるクリップ留め式固定溝（１）は共同して、蓋開口領域の半径方向の変形を妨げるための、環状蓋開口領域補強構造を構成していることを特徴とするカップ状容器。
【発明の詳細な説明】
【０００１】
【産業上の利用分野】
本発明はカップ状容器と、この容器用の蓋に関する。
【０００２】
【従来の技術】
ＵＳ５２５３７８１Ａに記載のカップ状容器上のクリップ留め式プラスチック蓋では、蓋凹部の外側脚壁の外面が狭窄部の高さ位置を少しだけ越えるように下方に延びている。外面の錐角と外径が容器壁の錐角と内径に合わせられ、容器の縁部（具体的には、カールしたリム）が固定溝に着座したときでも外面が容器壁に明確に接触することはない。外面が比較的短く、蓋凹部のＵ字形状ウェブの半径方向の寸法が大きいため、固定溝はクリップ留めの動きの間、内側に傾き、縁部が全周長に亘って狭窄部を通って円滑に移動するのを妨げている。先ず蓋を、固定溝は縁部上に位置するように手で心合わせし、次いで手の滑り回転移動により固定溝の上部壁に圧力が直接かかるようにして蓋をクリップ留めすることが必要である。このようなクリップ留め操作は厄介で、時間がかかり、縁部がカップ開口部の周囲の幾つかの位置において、固定溝にぴったりと上手く嵌らないことが多い。このため、カップ全体が傾くと、液体が漏れ出ることがある。容器全体が倒れると、カップ開口部が半径方向に簡単に歪むため、蓋が飛び出てしまうことが良くある。
【０００３】
【発明が解決しようとする課題】
本発明の目的は、慣れない人にも蓋のクリップ留めが容易に出来、クリップ留めされた蓋には漏れ防止性があり、カップ全体が倒れても蓋が飛び出ることが先ず無い容器と、この容器に適した蓋を提供することにある。蓋の高い保持力の完全な密封性にも拘らず、この蓋は容易にクリップ留め出来る。
【０００４】
【課題を解決するための手段】
本発明によれば、外側脚壁を下に向かって比較的長くしたので、蓋凹部のＵ字形状底部ウェブと内側脚壁とが心合わせ・ガイド突起部を構成し、縁部が狭窄部を通る少なくともその間にこれが容器壁に滑り接触するようにする。実質的にドーム頂壁にのみ圧力を加えることによって、固定溝は自動的に縁部に正確に心合わせされ、縁部はその全周長に沿って狭窄部を通り固定溝内に、実質上１回でクリップ留めされる。外面と容器壁の間の滑り接触により、案内と心合わせを受ける縁部が蓋の下方移動に対して何処においても均一な抵抗を発生するため、狭窄部は縁部に亘って一様に案内される。ドームに加えられた圧力はガイド・心合わせ突起により、狭窄部に沿って均一に分布する下方指向引張り力に変換され、縁部が固定溝に正確に位置付けられるまで狭窄部を、縁部を通って均一に引き続ける。実際には円錐状又は円筒状である心合わせ・ガイド突起部と均一な力伝達のこの有利な効果が協働して、縁部と固定溝との間に、両者間の近似寸法と所定の弾性によって得られる強力な嵌合がもたらされる。これにより、クリップ留めされた蓋は漏れることが無く、カップ全体が倒れても固定溝から縁部が部分的に離れることが無くなる。ドームと蓋凹部の上記形状により、蓋と一体の剛体構造が結果として得られ、この構造により蓋は加えられたクリップ留め力の下で、座屈することなく、有効にクリップ留めされる。クリップ留めされた蓋は容器の開口部を顕著に補剛し、そのこぼれ防止性と漏れ防止性も優れたものとなる。
本発明の特に重要な特徴に、蓋と一体に形成され、円周方向に連続して作用するようにしたヒンジ機構が有る。これにより、蓋は実際上、手の把握操作で容易にクリップ留め出来るようになる。少なくともドーム頂壁に圧力が加えられると、ドームは直ちに下がり、縁部に亘る狭窄部の移動に対する抵抗の増大の開始と共に、変位した内側脚壁はＵ字形状底部ウェブを、Ｕ字形状底部ウェブと外側脚壁の間の渡り部に形成されたヒンジを中心として、傾動させる。Ｕ字形状底部ウェブが傾動して、外側側壁を容器の内壁から一時的に引き離そうとする。縁部と狭窄部の接触により狭窄部は外側に傾動し、固定溝は多少広がる。クリップ留め圧のため、即ちドームが押し下げられると自動的に、或いは蓋外周を押すと、縁部は狭窄部を容易に、且つ一回で通過する。圧力が加わらなくなると、ヒンジ機構は蓋の嵌め合わせを再設定する、即ちＵ字形状底部ウェブは蓋の軸に略垂直な位置に戻り、外側脚壁を容器の内壁に対して堅固に保持する。狭窄部は縁部の後ろ側に戻り、縁部は固定溝に密着・気密封止状態に嵌合する。上方に突出するドームで連結（ヒンジ）機構は先ずドームを固定溝に対して下げて連結（ヒンジ）機構を起動させ、固定溝を開口して縁部が滑り込むようにする。次いで、ドームは初期高さ位置に戻る。クリップ留めの間に、掌で蓋周辺部に加えられる圧力でドーム頂壁が押し下げられ、クリップ留め操作が完了される。
【０００５】
容器の縁部は、縁部をカールさせたものでも、全巻き込みのものでも、部分的にカールさせたものでも、又は半巻き込みのものでも、或いは外側に湾曲させた曲縁状のものでも良い。蓋のクリップ留め操作はどんな場合にも容易、且つ楽に出来、決定的な漏れ防止と安定的な蓋保持効果が得られる。一つの蓋の設計が、多くの縁部設計に合う。
クリップ留め状態における強力な嵌合にも拘らず、蓋はクリップ留めが最適で、且つ容易に行えるようになっている。その形状のため、蓋は中央部で比較的堅いので、ガイド突起部の案内の補助の下でクリップ留め方向への押圧と、狭窄部に対するドームの移動による固定溝の一時的開口によって、縁部を固定溝に容易、且つ完全にクリップ留めし、密着・力嵌めを得ることが出来る。
この機能に対しては、Ｕ字形状底部ウェブが実質的に平らであって、且つ蓋軸に実質的に垂直であることと、内側脚壁が蓋軸に実質的に平行であることが重要と云える。これ等の構造的特徴のため、一体ヒンジ機構は蓋に下向きの圧力がかかるとき良好に作用する。これは主として、Ｕ字形状底部ウェブが傾くとき機械的理由で内側脚壁の方が外側脚壁より曲がり難いため、外側脚壁が内側に曲がることになり、その結果、固定溝を内側から開くようになる。
縁部による狭窄部の弾性的変形が始まる前に、外面と容器壁とが互いにすべり合うようにすると有利であることが指摘できる。これにより、固定溝と狭窄部とが夫々、きちんと心合わせされた位置で縁部にかかるので、縁部はその全周長に亘って通過に対して実質的に同一の抵抗で打ち勝たなければならなくなり、従って固定溝に容易、且つ均一にクリップ留めされることになる。
外面の錐角と容器壁の錐角が略等しい場合、外面の外径は狭窄部の高さ位置において開口部内の容器壁の内径に少なくとも略対応するので、縁部が狭窄部に達する前に心合わせ及びガイド効果は開始する。縁部が固定溝にピシッと入ると、容器壁は特に軟質材料から成るとき、縁部と容器壁で曲がるので、蓋がクリップ留めされるとき強力な完全係合が出来ることになる。更に、又は或いは、蓋凹部の外側脚壁も外面と容器壁間の接触圧により、僅かに内側に曲がることも指摘できる。
【０００６】
固定溝内の外面の外径を、開口部内の、即ち内壁が外側に湾曲して縁部になるところでの容器壁の内径より際立って大きくすることが出来る。こうすると、狭窄部を超えて固定溝に到る縁部の全移動中に、明確なガイド及び心合わせ作用は起こることになる。
外面を狭窄部から下に際立って長くすることは、目的の心合わせ及びガイド効果のために重要である。実質的にドームにのみ圧力を加えるだけで、蓋をクリップ留め出来る。外面を、固定溝の高さの少なくとも２．５倍とすると良い。固定溝の高さの３倍、或いは４倍としても尚良い。外面と容器壁の間に圧力がかかり、また大きな接触面があることから、極めて有効な封止効果が結果として生じ、固定溝内の縁部の封止効果を補っている。
錐角を約６°〜１２°、即ち総合的円錐角を１２°〜２４°とすると良い。８°〜１０°、即ち１６°〜２０°とすると尚良い。
ドーム頂壁の頭部からドーム外壁に移るところに、くぼみを設けると、蓋の易操作が更に容易になり、ドームの剛性が増大する。更に、これ等のくぼみは、積み重ねた蓋から蓋を楽に外すため、どこに指を当てて、把握点をどこに定めるかの、目に見える手がかりを与える。くぼみをアンダーカットして形成すると、掴み（摘み）部を提供するだけでなく、蓋を積み重ねる際の肩部を定めることが出来る。各蓋が次の蓋のドーム頂壁上のくぼみのショルダーでのみ支えられるようにすることで、蓋同士がぎゅうぎゅう詰めにならないように蓋を積み重ねることが出来る。
縁部と固定溝との間に、封止効果のために重要である強力な力嵌めを得るため、縁部の半径方向厚みを、固定溝の半径方向の内幅より大きくする必要が有る。容器及び縁を構成する軟質紙又はボール紙材料は夫々、縁部が固定溝に着座すると直ちに内側又は外側に曲がる。面接触部、即ち線接触だけでない部分の有る押しつぶれ部が生じ、封止効果を高める。
縁部の半径方向厚みは、固定溝の平均半径方向内幅より１０〜２０％、好ましくは約１５％大きくすべきである。このように寸法を合わせることにより、良好な封止効果が得られると共に、適度の力をかけるだけで、蓋を容器にクリップ留めすることが出来る。
蓋の縁部での保持効果を高めると共に、材料が徐々に押しつぶされるようにするため、固定溝の半径方向内幅がクリップ留め方向と反対の方向に、好ましくは容器壁の錐角で減少するようにすると良い。このようにすると、固定溝は縁部の位置が落ち着くまでウェッジ効果を生じることになる。
クリップ留め蓋の保持効果を高めるため、容器の外側脚壁及び／又は内側脚壁に、摩擦係数を高くしたベルト状の区域を設けると良い。これにより、蓋と容器間の摩擦係合が増大し、曲がり難いカップ開口部が生じる。
【０００７】
本発明の更なる重要な特徴によれば、深いくぼみと浅いくぼみが連なるくぼみを外部から形成して狭窄部とする。これ等のくぼみは、深いものの方が浅いものより円周方向で長いようにすると良い。これにより、クリップ留め操作が容易になると共に、保持の安定性と持続性が高まり、蓋周辺部が補剛される。
ドーム頂壁に上方に突出する飲料識別突起を複数個設け、飲料の種類、例えばコーラ、ダイエットコーラ、オレンジジュース等が外側から識別できるようにすると良い。突起部を押し込みボタンとしても良い。
更に重要な特徴によれば、陥入部がドーム頂壁に形成される。この部分の壁厚を少なくともドーム頂壁の壁厚より薄くすると良い。また、この部分に交差する刻み目を設け、それを破ってストローを、楽に差し込まれるようにすると良い。壁厚を薄くすることにより、ストローの挿入がより容易になる。壁厚を薄くするには、蓋の材料を部分的に圧縮すれば良い。壁厚薄部は、通常の蓋より壁厚が多少厚い、比較的剛性の蓋に対して特に有用である。だが、薄部をもうけることはストローの差込を一般に容易にするから、どんな蓋にも一般に有利である。
ストローを差込むための陥入部は、例えばドーム頂壁の中央に凹部を位置付け、その底部に設けると良い。底部壁厚を薄くすることにより、クリップ留め易操作の観点でドームの剛性が増す。
陥入部を内側に向かって湾曲させると、ストロー挿入が容易になり、液圧による外側への座屈に対する抵抗が増大するので良い。この湾曲には、ストローを抜いた後、液圧が内側から破れた刻み目の切り片にかかるとき、破れ刻み目を自動的に閉じる効果も有る。主軸が互いに９０°でオフセットした楕円二つにこの凹部の輪郭が対応するようにすると、ドームの合成が増し、ドームデザインの外観が魅力的になる。刻み目を両楕円の主軸に沿って形成すると良い。代わりに、底部の薄壁化コア部一つを設け、これでストローの差込を容易にするようにしても良い。
【０００８】
本発明の更なる重要な特徴の一つは、二重壁とした円錐状紙又はボール紙製用の易クリップ留め蓋である。二重壁の紙又はボール紙容器には通常、内側容器壁が外側に変形され、外側容器壁とつながるところに開口部が有る。縁部は内側容器壁の上端に形成される。二重壁容器円錐状内壁の錐角は、下部容器壁から続き、周囲肩部があって広がった開口部では０か、下部容器壁の錐角より小さい。クリップ留め操作中に、蓋は心合わせされ、縁部に亘って案内される。心合わせ及びガイド突起部は押し下げられるドームと固定溝の間に生ずる変形のため、内側に引かれので、縁部はより容易に狭窄部を通過できる。蓋はクリップ留めされると、容器開口部に高い漏れ防止性と剛性を与える。
外面又は心合わせ・ガイド突起部の錐角をゼロか、容器内壁の錐角の角度値より小さくすると良い。心合わせ及びガイド突起部は剛性が高いので、縁部は固定溝ではもれ防止性の着座状態に付勢され、二重壁容器の開口部を変形させ、容器縁部の補剛と封止を強化する。
この場合、心合わせ及びガイド突起部が下側で、容器壁と協働してプレス嵌めするように大きさの合わせられた外側脚壁の内側段つき部で引き継がれるようにすると良い。内側段付き部の錐角を、上部段付き開口部の下の内側容器壁の錐角に実質的に等しくすると良い。段付き部と容器内壁の協働作用により、容器内側の深いところにも封止効果が強化される。
【０００９】
【実施態様】
紙やボール紙又はプラスチック材料から成るカップ形状容器Ｃの蓋として用いようとする蓋Ｄは、弾性プラスチックフォイル材を延伸したもので、壁厚が例えば０．３〜０．５ｍｍである（図１）。この蓋は容器Ｃの開口部９にクリップ留めでき、容器Ｃが漏れ無しに密閉され、容器Ｃ全体がたとえ倒れても蓋Ｄは外れないようになっている。蓋Ｄ（図１）には周辺の円周方向に連続した固定（留め）溝１が設けられていて、その面の上方にドーム２が固定溝１の内側からつき出てている。ドーム２は固定溝１から円周方向に実質的に一様な蓋凹部Ｖで隔てられ、且つ基本的に平らなドーム頂壁５と数個の円周方向に分布するくぼみ３が設けられている。蓋凹部Ｖの外側脚壁４は（図２）固定溝１に対して、固定溝１の面を超えて著しく下方に延びている。
蓋Ｄ（図２）を容器Ｃ（図３）の開口部９にクリップ留めするには圧力Ｒを、例えばドーム頂壁５にのみクリップ留めする方向に加える。ドーム頂壁５は蓋Ｄの面に対して基本的に平行に延びる。蓋凹部Ｖは断面がＵ字形状で、ドーム２を同心状に囲繞する。蓋凹部Ｖは、本例では下向きに円錐状にテーパーの付いた外側脚壁４と、下側Ｕ字形状底部ウェブ２２と、及び上方に延びる外側ドーム壁を形成する内部脚壁２３とで画成されている。外側脚壁４には、固定溝１内に延びる外面６がある。外面６は、容器Ｃの容器壁７の錐角α／２と少なくとも基本的に対応して良い錐角α／２で配設されている。
【００１０】
図３において容器壁７の下端には容器底部８があり、容器の開口部９は容器壁７と、外側に突き出た縁部、好ましくは容器Ｃのボール紙又は紙材料から成る所謂カール状リム１１とで画成されている。プラスチック容器の場合、縁部１０を射出成形で作ることも出来る。また、縁部は半カール状縁部、又は容器の縁を外側に突き出させてフランジ状にしたものでも良い。
【００１１】
図４に、カール状リム１１として形成した縁部１０に載った蓋Ｄを示す。蓋Ｄの狭窄部１４が縁部１０で支えられている。
外側脚壁４は、上端で蓋の面に略平行に延びる壁１２に、続いて円周方向に延びるエプロン部１３に続く。エプロン部１３は蓋Ｄの軸に略平行に延び、下の狭窄部１４に続いている。狭窄部１４は外側からの折り目状のくぼみでも良く、内側に丸みのある稜１５を形成している。稜１５と狭窄部１４は円周方向に連続するものでも、或いは個々の局部くぼみの間に（破線で示す）外側輪郭が略連続するように形成したものでも良い。狭窄部１４は下向きに、クリップ留め傾斜路を画成する外側傾斜壁１６に続く。壁１６からは、更なるエプロン部１８が下向きの延び、外側フランジ１９で終わる。更なるエプロン１８の高さは図示のものより短くても良い。
直線容器壁７から縁部１０の湾曲部への渡りで測られる縁部１０の半径方向の厚みＹは、固定溝１の半径方向内幅Ｙ１より大きくても良い。半径方向厚みＹは内幅Ｙ１より１０％〜２０％、好ましくは約１５％だけ大きくても良い。固定溝１においては、半径方向内幅Ｙ１は徐々に、好ましくは狭窄部１４から壁１２に向かって錐角α／２で小さくなる。
固定溝１は稜１５と壁１２の位置側との間の長さＬを規定している。外側脚壁１４は下方に、狭窄部１４の高さ位置を高さＬの２．５倍、好ましくは３倍、更に好ましくは４倍以上に等しくても良い長さＬ１だけ越えて延びている。
狭窄部１４（例えば量１５）の高さ位置における外側脚壁４の外面６の外径Ｄ１は縁部１０、即ち直線容器壁７から縁部の外側突き出し湾曲部への渡りにおける容器壁７の内径Ｄ７に少なくとも大幅に対応している。
図４におけるドーム２に圧力Ｒが加えられると、外面６は縁部１０が狭窄部１４に達する前又は達するやいなや、摺動して容器壁７に接する。蓋凹部Ｖは心合わせ・ガイド突起Ｋを形成し、蓋Ｄのクリップ留め操作を助け、容易にする。縁部１０が狭窄部１４に達する前であっても摺動接触が行われるようにすると好都合であろう。蓋Ｄが更に押し下げられると、縁部１０は狭窄部１４を外側に弾性的に変形することになる。この操作過程においては、縁部１０も稜１５を超える前に僅かに変形され、固定溝１にピシッと入る（図５）。図５中、十字ハッチ部は、縁部１０と容器壁７に形成され封止、保持及び補剛効果を促進する強圧部分を指す。或いはまたはそれに加え、外側脚部４も内方に僅かに曲がる（破線２１′で示す）にようにしても良い。
【００１２】
図６〜１０に示す蓋Ｄは図１〜５の蓋Ｄとは、狭窄部１４の設計変更とドーム頂壁５に凹部２４を設けた点で異なる。狭窄部１４（図７）は、より深いくぼみ１６ａとより浅いくぼみ１６ｂを交互させることにより形成される。これ等のくぼみ１６ａ及び１６ｂは蛇行状内側頂部１５′を形成する。深い方のくぼみ１６ａは円周方向が、浅い方のくぼみ１６ｂより長くても良い。尚、図７に破線で示すエプロン１８は短い。
図６において、凹部２４にはドーム頂壁５と実質的に平行で、その下に位置する、大きさが限られたドーム底部２５がある。蓋Ｄの壁厚ｘは概ね一定である。部分２５のみが、例えば材料圧縮により、薄くなっている（厚みｘ１）。部分２５はドーム頂壁５の中央に位置している。ストロー導入のため、部分２５には破切可能な刻み目２６が交差して形成されている。便宜上、部分２５がドーム２の内側に向かって湾曲するようにしても良い。
ドーム頂壁５から内側脚壁２３への渡りにくぼみ３が有るので、ドーム２の剛性が増すと共に、指先で蓋Ｄを摘んで、例えば積み重ねた蓋から蓋Ｄを取りはずし、蓋Ｄを容器Ｃに取り付けるのをより容易にする。クリップ留めに際しドーム２に力を加えるのも、くぼみ３を介して行うことが出来る。だが、掌を平らなドーム頂壁５に押し当てて、クリップ留めを容易に行うことも出来る。
図６において、外側脚壁４に摩擦係数が高いベルト状外周部３０を設けることにより、蓋Ｄがクリップ留めされたら直ちに保持効果が強化されるようにしても良い。この外周部３０は図示のものより位置が高くても良く、幅が狭くても広くても良い。蓋Ｄに外周部３０を設ける代わりに、或いはそれと共に、摩擦係数の高い部分を容器壁７に設けるようにしても良い。
ドーム２と蓋凹部Ｖの設計と形状とにより、円周方向に連続するヒンジ機構Ｍが蓋Ｄと一体に組み込まれている。このヒンジ機構は、特に図６〜１０に示されているように蓋Ｄのクリップ留めを助ける。
蓋Ｄのヒンジ機構Ｍはドーム２、内側脚壁２３、Ｕ字形状底部ウェブ２２及び外側脚壁４から成る。外側脚壁４からＵ字形状底部ウェブ２２及びＵ字形状底部ウェブ２２から内側脚壁２３への両渡り部が両ヒンジ２９を夫々画成する。内側脚壁２３は蓋の縦軸に基本的に平行であり、Ｕ字形状底部ウェブ２２は平らで、且つ蓋軸に垂直である。ドーム２の剛性が高いことと、内側脚壁２３の径が小さく、外側脚壁４の径が大きいことから、外側脚壁４は内側脚壁２３より容易に内側に曲がることになる。この効果が、固定溝１を一時的に開くのに用いられ、蓋のクリップ留めを容易にする。
【００１３】
図８において、蓋Ｄを容器Ｃに、狭窄部１４の全周を縁部１０に心合わせして載せる。外側脚壁４は容器壁７に接する。ここで、クリップ留め力Ｒを、例えば掌で、例えばドーム頂壁５に、ドーム頂壁５が降下するまで加える（図９）。
図９において、狭窄部１４を載せた縁部１０に、力Ｒと逆方向に反力Ｒ′が作用する。内側脚壁２３からＵ字形状底部ウェブ２２への渡り部における内側ヒンジ２９の作用で、内側脚壁２３はＵ字形状底部ウェブ２２を下方に傾ける。ドーム２の半径方向の剛性が高いので、Ｕ字形状底部ウェブ２２が傾く結果、外側ヒンジ２９に力２８が働く。力２８は外側脚壁４を容器壁７から離し、固定溝１が内側で多少開くようになる。反力Ｒ′がエプロン部１８を外側矢印２７方向に変位させ、固定溝１外側で一時的に少し開くことになる。クリップ留め力Ｒの下で、またドーム頂壁５が降下することにより（その際可能な、壁部１２を押すことによっても）、縁部１０は狭窄部１４を通って摺動し、最終的には固定溝１にぴったりとクリップ留めされる。
図１０において、クリップ留め力Ｒは最早無い。Ｕ字形状底部ウェブ２２は弾性により蓋軸に概ね垂直な向きに戻っており、外側脚壁４を容器壁７に押し付けている。エプロン部１８も弾性により元に戻っている。固定溝１は縁部１０をしっかりと保持している。心合わせ突起部Ｋと固定溝１の両者が容器Ｃの開口部を補剛していることも重要である。
【００１４】
図１１において、凹部２４の壁輪郭は四葉状、即ち主軸同士が９０°をなす大きさの等しい二つの楕円としても特徴付けられる輪郭である。刻み目２６は部分２５において、両楕円の主軸に沿って延びている。図２５は壁厚ｘと壁厚ｘ１の差を誇張した尺度で示している。部分２５は図示のように内側に湾曲しても、ドーム頂壁５に平行であっても良い。壁厚薄化ｘ１は部分２５全域に対しては要しない。部分２５の薄壁厚中央部のみを、例えば蓋Ｄの製造時に材料圧縮により設ければ良い。
図６〜１０における環状Ｕ字形状底部ウェブ２２の半径方向の幅は蓋Ｄの外径の約１０％で良く、またドーム頂壁５の径は蓋Ｄの外径の約６０％で良い。
図１３〜１４の蓋Ｄの実施例は図６〜１２のものと類似しているが、ドーム頂壁５上に飲料識別突起５ａが規則的に分布して更に設けられている。例えば、各々にマーキング及び／又は押圧式ボタンの有る卵形の飲料識別突起５ａが４個設けられている。これは市場にある多くの蓋の標準的備品である。突起５ａはドーム頂壁５の外縁から半径方向に少し離れ、中央凹部２４からも少し離れた位置に設けられる。更に、くぼみ３が、蓋積み重ね（図１５）から蓋Ｄを取り外す際に、くぼみがより容易に摘めるようにアンダーカットして作られる。各くぼみ３は、図１５に示すように積み重ね係止部として、積み重ねの次の蓋Ｄのドーム頂壁５に支えられるようにして作用し得る側方ショルダー３ａを画成するようにしても良い。このようなショルダー３ａを設けると、積み重なった蓋は主としてショルダー３ａがドーム頂壁５で支えられ、且つ外側脚壁同士が接触するところで接することになるから蓋がぎゅうぎゅう詰めにならず好都合である。この特徴によれば、各蓋Ｄが楽に外せる、整然として且つ密度の高い積み重ねが得られる。この実施態様では、８個のくぼみ３が設けられている。
【００１５】
図１３〜１５の蓋Ｄにも、心合わせ・ガイド突起Ｋ（ガイドコーン）とクリップ留め操作を容易にするヒンジ機構Ｍが設けられている。
図１６〜１７に、二重壁容器ＣＤ用の簡易クリップ留め蓋Ｄが示す、二重壁容器ＣＤは内部壁７と外部壁７ｃを有し、両者間に熱絶縁効果を奏する空隙が設けられている。縁部１０は内部壁７の上端に形成されている。二重壁容器ＣＤは先ず、縁部１０に続く錐角α／２で形成される。形成工程中に、内部壁７の上端が外側に向かって、錐角α′／２が錐角α／２より小さいところ、或いは殆ど０のところで開口部９が出来るように、且つショルダー７ｂが形成されるように拡げられる。二重壁容器ＣＤには、既述の心合わせ・ガイド突起Ｋが有る。この場合、突起Ｋは，外面６が円筒状（図示のように）であるか、その錐角β／２が０°（円筒状）又は錐角α′／２に近いが、それより小さい値になるように形成される。外面７又は外側脚壁４は、ショルダー４ａが形成されるように内方に段入する壁部４ｂに続く。壁部４ｂの外面部６ａは錐角α／２で傾いている。心合わせ・ガイド突起Ｋは、蓋中心軸に略垂直に延びるＵ字形状底部ウェブ２２で形成される。外面６の径Ｄ１は縁部１０付近の開口部９ａの径Ｄ７に本質的に対応する。開口部９ａにおいて、内部容器壁７ａの内側部分と外側脚壁４及び壁部４ｂの外側部分は、蓋Ｄが二重壁容器ＣＤに完全にクリップ留めされたとき、変形される、即ち密接に圧接するように示されている。
【００１６】
図１６において、蓋Ｄは二重壁容器ＣＤに心合わせされ、縁部１０が下から狭窄部１４に近づいた状態に有る。そのとき、外面６は開口部９ａにおける内部容器壁７ａに既に接しており、クリップ留め圧Ｒが例えばドーム頂壁５（図１６には図示せず）に加えられるとき蓋Ｄを適切に心合わせ及び案内するようになっている。
クリップ留め圧が縁部１０上の狭窄部１４にかかる間、外面６が蓋Ｄを案内する。Ｕ字形状ウェブ２２が下方に傾くと、既述のように外側脚壁４は内方に少し変位し、その間狭窄部１４は外側に曲がる。これにより、図１７の位置に達するまでの、縁部１０を通る狭窄部１４の摺動が容易になる。そして、縁部１０は外側と内側の両方から把握される。接触する壁部（２０及び２０′）も把握されるようにしても良い。ショルダー４ａはショルダー７ｂに着座するか、少なくとも近接するようにする。部分２０′では接触圧が特に得られ、その結果、固定溝１と縁部１０との間及び外側脚壁４と内部容器壁部７ａとの間の相互作用により封止効果に付加的封止効果が加わる。図１７において、蓋Ｄのドーム構造が堅固なことにより、内部容器壁部７ａが外側脚壁４に対して平行になるように押圧され、これがクリップ留めの保持力を高め、密閉された容器ＣＤの開口部を著しく補剛する優れた効果を奏することにもなる。
更に、ショルダー４ａとショルダー７ｂとの相互作用の結果、クリップ留め制限をもたらし、縁部が過剰に変形されるのを阻止することも出来る。ショルダー４ａ、７ｂが隣接することにより、縁部１０と固定溝１とは蓋Ｄの高い漏れ防止と高い保持力で特徴付けられる予充填閉鎖状態に保たれる。
図１８は図５と同様の、単壁容器Ｃに蓋Ｄをクリップ留めしたものの断面図である。縁部１０は内側に完全に湾曲している。蓋Ｄの固定溝１は断面が丸い。十字ハッチ部分は接触の強い部分、例えば僅かだが圧搾されている表面部分を表す。縁部１０の周囲の１８０°以上に亘って固定溝１と縁部１０とが密接に接している。外側脚壁４が上部開口部を半径方向の変形に対して明確に補剛している。
【図面の簡単な説明】
【図１】蓋の側面図である。
【図２】図１の蓋の軸に沿う断面図である。
【図３】図１及び２の蓋を蓋として用いようとする容器の軸に沿った断面図である。
【図４】蓋を容器にクリップ留めする際の様子を示す拡大断面図である。
【図５】蓋が容器に完全にクリップ留めされた様子を示す断面図である。
【図６】蓋の別の実施例を示す軸方向断面図である。
【図７】図６の蓋の一部を示す側面図である。
【図８】蓋をクリップ留めするに際し、容器の縁部が丁度狭窄部に達した状態での図６の蓋の一部を示す。
【図９】蓋のクリップ留めに際し、固定溝が一時的に開口した状態を図８に対応して示す。
【図１０】図８に対応して、蓋が適切にクリップ留めされた状態を示す。
【図１１】図６の蓋の一部であるドームを示す平面図である。
【図１２】図１１のドームの中央部の切断面ＸＩＩ−ＸＩＩにおける断面図である。
【図１３】蓋の更に別の実施例を示す軸方向断面図である。
【図１４】図１３の蓋の上方からの図である。
【図１５】図１３及び１４の蓋数個から成る蓋積み重ねを示す。
【図１６】蓋のクリップ留めの準備段階にある蓋と二重壁容器を示す軸方向断面図である。
【図１７】蓋が完全にクリップ留めされた二重壁容器を示す、図１６と類似の断面図である。
【図１８】他の実施例を示す、図５と類似の断面図である。
【符号の説明】
Ｃ…容器、ＤＣ…二重壁容器、Ｄ…蓋、Ｖ…蓋凹部、Ｍ…ヒンジ機構、１…固定溝、２…ドーム、３…くぼみ、４…外側脚壁、５…ドーム頂壁、６…外面、７…容器壁、８…容器底部、９…開口部、１０…縁部、１１…カール状リム、１２…壁、１３…エプロン部、１４…狭窄部、１５…稜、１６…外側傾斜壁、１８…エプロン部、１９…外側フランジ、２２…Ｕ字形状底部ウェブ、２３…内側脚壁、２４…凹部、２５…ドーム底部、２６…刻み目、３０…ベルト状外周部。
【図１】
0003617009.tif 000002
【図２】
0003617009.tif 000003
【図３】
0003617009.tif 000004
【図４】
0003617009.tif 000005
【図５】
0003617009.tif 000006
【図６】
0003617009.tif 000007
【図７】
0003617009.tif 000008
【図８】
0003617009.tif 000009
【図９】
0003617009.tif 000010
【図１０】
0003617009.tif 000011
【図１１】
0003617009.tif 000012
【図１２】
0003617009.tif 000013
【図１３】
0003617009.tif 000014
【図１４】
0003617009.tif 000015
【図１５】
0003617009.tif 000016
【図１６】
0003617009.tif 000017
【図１７】
0003617009.tif 000018
【図１８】
0003617009.tif 000019